(57)【要約】【課題】  原稿を押えるときに原稿のずれを防止した可動カバーを提供する。【解決手段】  原稿を押えるための可動カバー１１において、平板状の原稿押え部３と、原稿押え部３と表面同士が略平行になるように配置され、原稿押え部３を支持するためのリッド２と、原稿押え部３とリッド２とを接続するためのコイルスプリング６とを備える。リッド２は、原稿押え部３に対向する表面に第１のリブ７を有し、原稿押え部３は、リッド２に対向する表面に、第１のリブ７に接触するように配置された第２のリブ８を有する。コイルスプリング６は、リッド２に対して相対的に原稿押え部３が移動可能に形成され、可動カバー１を閉じることにより、第２のリブ８が第１のリブ７の形状に沿って基準コーナ部２１の向きに移動して、原稿押え部３が基準コーナ部２１に向かって移動するように形成されている。【選択図】        図５
2006201561.tif 000002
【特許請求の範囲】
【請求項１】
トップハウジングに支持され、原稿を載置するためのガラス板と、
原稿を前記ガラス板に向かって押えるための可動カバーと
を備え、
前記トップハウジングは、前記ガラス板を支持する部分の端部に前記ガラス板の表面に対して段差を有するように形成された段差部を含み、
前記段差部は、平面形状が四角形になるように形成され、
前記段差部は、前記四角形の１つの角に基準コーナ部を有し、
前記可動カバーは、平板状の原稿押え部と、
前記原稿押え部と主表面同士が略平行になるように配置された平板状のリッドと、
前記原稿押え部と前記リッドとを接続するためのコイルスプリングと
を含み、
前記リッドは、前記原稿押え部に対向する表面に第１のリブを有し、
前記原稿押え部は、前記リッドに対向する表面に前記第１のリブに接触するように配置された第２のリブを有し、
前記第１のリブおよび前記第２のリブは、長手方向を有し、前記長手方向に垂直な断面形状が山形になるように形成され、
前記第１のリブおよび前記第２のリブは、前記長手方向に垂直な方向に前記基準コーナ部が位置するように配置され、
前記第１のリブは、前記基準コーナ部に対して前記第２のリブより遠くなるように配置され、
前記可動カバーを閉じることにより、前記原稿押え部が前記ガラス板に接触することによって、前記原稿押え部と前記リッドとの距離が近くなり、
前記可動カバーを閉じることにより、前記第２のリブが前記第１のリブの断面形状に沿って前記基準コーナ部に向かって移動して、さらに、前記原稿押え部が前記基準コーナ部に向かって移動するように形成された、複合プリンタ装置。
【請求項２】
原稿を押えるための可動カバーにおいて、
平板状の原稿押え部と、
前記原稿押え部と表面同士が略平行になるように配置され、前記原稿押え部を支持するためのリッドと、
前記原稿押え部と前記リッドとを接続するための弾性手段と
を備え、
前記リッドは、前記原稿押え部に対向する表面に第１のリブを有し、
前記原稿押え部は、前記リッドに対向する表面に、前記第１のリブに接触するように配置された第２のリブを有し、
前記弾性手段は、前記リッドに対して相対的に前記原稿押え部が移動可能に形成され、
前記可動カバーを閉じることにより、前記第２のリブが前記第１のリブの形状に沿って一の向きに移動して、前記原稿押え部が前記一の向きに移動するように形成された、可動カバー。
【請求項３】
前記第２のリブは、前記一の向きに垂直な方向に長手方向を有し、
前記第２のリブは、前記長手方向に垂直な断面形状が山形になるように形成された、請求項２に記載の可動カバー。
【発明の詳細な説明】
【技術分野】
【０００１】
本発明は、可動カバーに関する。また、可動カバーを備えた複合プリンタ装置に関する。
【背景技術】
【０００２】
スキャナ装置や複写機には、原稿の文字や画像を読取るための原稿読取装置が備えられている。原稿読取装置には、原稿を載置する載置台に原稿を配置した後に、原稿を載置台に向かって押えるための可動カバーを備える。可動カバーの中には、板状に形成され板状の一の辺を回動軸として回動可能なように形成されているものがある。
【０００３】
特開平２−６１６３２号公報においては、原稿押え本体の原稿載置台に向かう面に、原稿押えシートが配置され、原稿押えシートが原稿載置台に向かって凸形状となるように、板ばねを介して取付けられた原稿押え装置が開示されている。原稿押え本体を閉じることにより、板ばねで保持された原稿押えシートで、回転軸線側の原稿の一端を線状に押え、次いで原稿を押えた状態で残りの部分を押えていくことができ、ずれを防止しながら原稿を原稿載置台に圧着させることができると開示されている。
【０００４】
特開平１１−２０５５４８号公報においては、原稿押圧板の端部にヒンジ部材を配置して、ヒンジ部材の内側に支持部材を配置して、載置台の表面に支持部材の形状に沿うような凹部を形成した原稿読取装置が開示されている。この原稿読取装置によれば、原稿押圧板を閉めていくと、支持部材の先端部が凹部に挿入し始めるとともに、支持部材が支点となってヒンジ部材が上方に移動する。原稿押圧板が原稿に接触する直前に、原稿押圧板と原稿とが平行になる。さらに、原稿押圧板を閉めていくと、平行な状態を保ったまま、押圧部材が原稿を押圧する。この原稿読取装置によれば、押圧部材が原稿と平行になってから原稿を押圧するので、原稿ずれを生じることがないと開示されている。
【特許文献１】特開平２−６１６３２号公報
【特許文献２】特開平１１−２０５５４８号公報
【発明の開示】
【発明が解決しようとする課題】
【０００５】
原稿載置台に配置された原稿を押えるために原稿読取装置の可動カバーを閉じるとき、可動カバーに原稿が接触する。可動カバーが完全に閉じられる前に、原稿載置台の所定の位置から原稿がずれるという問題がある。または、可動カバーを閉じるときの風圧により、紙などの原稿が風圧によって移動してしまい、原稿載置台の所定の位置からずれるという問題がある。
【０００６】
上記の特開平２−６１６３２号公報に開示された原稿押え装置や、特開平１１−２０５５４８号公報に開示された原稿読取装置においては、可動カバーが接触して原稿載置台に配置された原稿の位置がずれることは考慮されているものの、原稿押え装置を閉じるときに生じる風圧によって原稿の位置がずれることまでは考慮されていない。紙などの原稿が、風圧によって位置がずれた場合には、位置がずれたままの状態で原稿が押えられ、被印刷物に対して、所望する位置とは異なる位置に印刷が行なわれるという問題があった。
【０００７】
本発明は、上記の問題点を解決するためになされたものであり、原稿を押えるときに原稿のずれを防止した可動カバーおよび複合プリンタ装置を提供することを目的とする。
【課題を解決するための手段】
【０００８】
本発明に基づくスキャナプリンタ装置は、トップハウジングに支持され、原稿を載置するためのガラス板と、原稿を上記ガラス板に向かって押えるための可動カバーとを備える。上記トップハウジングは、上記ガラス板を支持する部分の端部に上記ガラス板の表面に対して段差を有するように形成された段差部を含む。上記段差部は、平面形状が四角形になるように形成され、上記四角形の１つの角に基準コーナ部を有する。上記可動カバーは、平板状の原稿押え部と、上記原稿押え部と主表面同士が略平行になるように配置された平板状のリッドと、上記原稿押え部と上記リッドとを接続するためのコイルスプリングとを含む。上記リッドは、上記原稿押え部に対向する表面に第１のリブを有する。上記原稿押え部は、上記リッドに対向する表面に上記第１のリブに接触するように配置された第２のリブを有する。上記第１のリブおよび上記第２のリブは、長手方向を有し、上記長手方向に垂直な断面形状が山形になるように形成され、上記第１のリブおよび上記第２のリブは、上記長手方向に垂直な方向に上記基準コーナ部が位置するように配置されている。上記第１のリブは、上記基準コーナ部に対して上記第２のリブよりも遠くなるように配置されている。上記可動カバーを閉じることにより、上記原稿押え部が上記ガラス板に接触することによって、上記原稿押え部と上記リッドとの距離が近くなり、上記第２のリブが上記第１のリブの断面形状に沿って上記基準コーナ部に向かって移動して、さらに、上記原稿押え部が上記基準コーナ部に向かって移動するように形成されている。この構成を採用することにより、上記原稿を押えるときに上記原稿のずれを防止したスキャナプリンタ装置を提供することができる。
【０００９】
本発明に基づく可動カバーは、原稿を押えるための可動カバーにおいて、平板状の原稿押え部と、上記原稿押え部と表面同士が略平行になるように配置され、上記原稿押え部を支持するためのリッドと、上記原稿押え部と上記リッドとを接続するための弾性手段とを備える。上記リッドは、上記原稿押え部に対向する表面に第１のリブを有し、上記原稿押え部は、上記リッドに対向する表面に、上記第１のリブに接触するように配置された第２のリブを有する。上記弾性手段は、上記リッドに対して相対的に上記原稿押え部が移動可能に形成され、上記可動カバーを閉じることにより、上記第２のリブが上記第１のリブの形状に沿って一の向きに移動して、上記原稿押え部が上記一の向きに移動するように形成されている。この構成を採用することにより、上記原稿を押えるときに上記原稿のずれを防止した可動カバーを提供することができる。
【００１０】
上記発明において好ましくは、上記第２のリブは、上記一の向きに垂直な方向に長手方向を有し、上記第２のリブは、上記長手方向に垂直な断面形状が山形になるように形成されている。この構成を採用することにより、容易に上記第２のリブを形成することができる。また、確実に上記原稿を上記一の向きに押えることができ、上記原稿のずれをより確実に防止することができる。
【発明の効果】
【００１１】
本発明によれば、原稿を押えるときに原稿のずれを防止した可動カバーおよびこれを備えた複合プリンタ装置を提供することができる。
【発明を実施するための最良の形態】
【００１２】
図１から図８を参照して、本発明に基づく実施の形態における可動カバーおよびこれを備えた複合プリンタ装置について説明する。
【００１３】
図１は、本実施の形態における複合プリンタ装置の概略斜視図である。本実施の形態における複合プリンタ装置は、原稿の画像を読取るスキャナ機能、原稿の画像を複写する機能、および受信した信号またはメモリカードに記録された画像を印刷するためのプリンタ機能を備える。
【００１４】
本実施の形態における複合プリンタ装置は、外側の筐体として、ボトムハウジング１１およびトップハウジング１６を備える。トップハウジング１６は、ボトムハウジング１１の上側に形成されている。
【００１５】
ボトムハウジング１１の正面には、印刷された用紙を排出するための排紙口１４が形成されている。排紙口１４には、排出された用紙などの被印刷物を一時的に配置しておくための用紙トレイ１３が配置されている。ボトムハウジング１１の前面には、画像データなどの保存が可能なメモリカードを挿入するためのカード挿入口１５が形成されている。
【００１６】
トップハウジング１６の上面には、平面形状が四角形の開口が形成され、この開口にガラス板１２が配置されている。ガラス板１２は、原稿載置台として形成されている。原稿は、画像などを読取る面がガラス板１２に向かうように配置される。ガラス板１２は、トップハウジング１６に支持されている。
【００１７】
トップハウジング１６の上側には、可動カバー１が配置されている。可動カバー１は、矢印３１に示すように、複合プリンタ装置の奥側の幅方向を回動軸として、矢印３１に示すように、回動可能に形成されている。
【００１８】
トップハウジング１６において、可動カバー１の側方には、操作部１８が形成されている。操作部１８は、４方向ボタンや単一の押しボタンなどを含む。また、トップハウジング１６において、可動カバー１の側方には、操作状況、稼動状況、または印刷を行なう画像などを表示するための液晶表示パネル１７が配置されている。
【００１９】
図２に、可動カバーを開いたときの複合プリンタ装置の概略斜視図を示す。本実施の形態における複合プリンタ装置は、トップハウジング１６の上面の開口にガラス板１２が配置されている。トップハウジング１６は、ガラス板１２を支持する部分の端部に、ガラス板の表面に対して、段差を有するように形成された段差部９を含む。段差部９は、トップハウジング１６の開口全体に形成されている。
【００２０】
段差部９は、平面形状の四角形の１つの角に基準コーナ部２１を有する。本実施の形態においては、ガラス板１２の奥側に基準コーナ部２１が設定されている。基準コーナ部２１は、ガラス板１２における原稿の位置を定めるためのコーナ部である。使用者は、基準コーナ部２１に、原稿の角が当たるように原稿を配置する。原稿の大きさなどの判別は、ガラス板の内側に配置されたセンサなどによって、基準コーナ部２１を定点として検知される。
【００２１】
可動カバー１は、平板状の原稿押え部３と平板状のリッド２とを含む。リッド２は、プラスチック樹脂などの硬質の材料で形成されている。原稿押え部３は、スポンジなどの軟質の材料で形成されている。
【００２２】
図３に、複合プリンタ装置の平面図を示す。図４に、図３におけるＩＶ−ＩＶ線に関する矢視断面図を、図５に、図３におけるＶ−Ｖ線に関する矢視断面図を示す。リッド２および原稿押え部３は、主表面同士がほぼ平行になるように配置されている。
【００２３】
平面的に透視したときに、トップハウジング１６の段差部９の四角形の大きさは、原稿押え部３の四角形の大きさよりも大きくなるように形成されている。また、原稿押え部３は、段差部９の内側に含まれるように配置されている。
【００２４】
リッド２と原稿押え部３とは、コイルスプリング６を介して接続されている。コイルスプリング６は、平面形状における四角形の４つの角に対応するように配置されている。コイルスプリング６は、弾性手段として配置され、リッド２に対して相対的に原稿押え部３が移動可能なように形成されている。すなわち、コイルスプリング６は、リッド２と原稿押え部３との距離が変更可能なように形成され、さらに、リッド２に対して原稿押え部３がスライド可能なように形成されている。コイルスプリング６は、リッド２に対して原稿押え部３を離す向きに弾性を有する。
【００２５】
リッド２および原稿押え部３において、平面形状の四角形の４つの角に対応するように、係止部１０が形成されている。係止部１０は、リッド２に固定された爪受け部４と、原稿押え部３に固定された引掛け爪５とを含む。爪受け部４および引掛け爪５は、それぞれが、断面形状がＬ字形になるように形成され、爪受け部４に対して引掛け爪５が引掛かるように形成されている。
【００２６】
係止部１０は、リッド２と原稿押え部３とが分離されないように形成されている。すなわち、コイルスプリング６によってリッド２と原稿押え部３との距離が長くなるように付勢されているが、係止部１０は、リッド２と原稿押え部３との距離が所定の距離以上長くならないように形成されている。
【００２７】
係止部１０は、主表面同士が互いにほぼ平行な状態のまま、リッド２に対して原稿押え部３がスライド可能なように形成されている。係止部１０としては、この形態に限られず、リッド２と原稿押え部３との距離が、所定の距離以上にならないように制限するように形成されていれば構わない。
【００２８】
また、弾性手段としては、コイルスプリング６に限られず、リッド２に対して原稿押え部３が遠ざかる向きに付勢でき、さらに、リッド２に対して原稿押え部３が移動可能に接続できる手段であれば構わない。たとえば、弾性手段としては、コイルスプリング６の他に板ばねなどが配置されていても構わない。
【００２９】
ガラス板１２は、平板状に形成され、トップハウジング１６によって外周部分が挟持されている。段差部９のガラス板１２の表面に対する高さは、使用者が、原稿を基準コーナ部に向かって押し付けたときに、原稿から抵抗を感じる程度の高さであればよい。
【００３０】
リッド２は、原稿押え部３に対向する表面に、第１のリブ７を有する。原稿押え部３は、リッド２に対向する表面に、第１のリブ７に接触するように配置された第２のリブ８を有する。第１のリブ７および第２のリブ８は、それぞれが長手方向を有し、それぞれの長手方向が互いにほぼ平行になるように配置されている。
【００３１】
第１のリブ７および第２のリブ８は、長手方向に垂直な方向に、基準コーナ部２１が位置するように配置されている（図３の矢印３２参照）。第１のリブ７および第２のリブ８は、リッド２の平面形状である四角形のほぼ中心位置に配置されている。第１のリブ７は、基準コーナ部２１に対して第２のリブ８よりも遠くなるように配置されている。
【００３２】
図５を参照して、本実施の形態における第１のリブ７および第２のリブ８は、長手方向に垂直な断面がそれぞれ山形になるように形成されている。第１のリブ７および第２のリブ８は、第１のリブ７のほぼ頂部が第２のリブ８の傾斜面に接触するように配置されている。
【００３３】
原稿の画像や文字などを読取る際には、原稿をガラス板の表面に配置する。基準コーナ部に原稿の一の角を接触させて位置決めを行なう。可動カバーを閉じることにより、原稿押え部が原稿に接触して、原稿の読み取り面がガラス板に圧着する。このとき、原稿押え部とリッドとの距離が近くなる。
【００３４】
図６に、第１のリブ７と第２のリブ８との係止部分の拡大概略斜視図を示す。リッドと原稿押え部３との距離が近くなることにより、第２のリブ８は、第１のリブ７の表面の形状に沿って、移動する力が加わる。このため、原稿押え部３は、第２のリブ８の形状に沿って、矢印３２に示す向きに移動する。図５においては、リッド２と原稿押え部３との主表面同士がほぼ平行な状態を保ちながら、原稿押え部３が矢印３２に示す向きに平行移動する。図３においては、第２のリブ８が長手方向を有し、この長手方向に垂直な方向に、基準コーナ部２１が配置されているため、原稿押え部３は、矢印３２に示すように基準コーナ部２１に向かって移動する。
【００３５】
図７に、可動カバーを完全に閉じたときの概略断面図を示す。図７は、図３におけるＶ−Ｖ線に対応する断面図である。基準コーナ部２１に対して、原稿２０および原稿押え部３が接触している。係止部１０においては、引掛け爪５が爪受け部４から離れている。原稿押え部３は、コイルスプリング６によってガラス板１２に向かって付勢されている。
【００３６】
図３および図７を参照して、原稿押え部３が、矢印３２に示す向きに移動しながら、原稿２０を押えるため、ガラス板１２の表面に配置された原稿２０は、基準コーナ部２１に向かって力が加えられながら押圧される。このため、基準コーナ部２１を基準点として、可動カバー１を閉じるときに原稿がずれることを防止できる。
【００３７】
さらに、風圧などにより、原稿が傾いたり、基準コーナ部から離れたりした場合においても、原稿押え部３が移動することにより、基準コーナ部２１を基準点とした正確な位置に原稿を再度移動させることができる。この結果、原稿が傾いた状態で画像や文字が読取られたり、被印刷物の中央部分からずれて印刷されたりすることを抑制できる。
【００３８】
可動カバーを開けた際には、リッド２と原稿押え部３との距離が遠くなって、原稿押え部３は、第２のリブ８の形状に沿って移動しながら元の位置に戻る。原稿押え部３は、原稿から離れる。
【００３９】
図６を参照して、本実施の形態においては、第２のリブ８は、長手方向を有し、長手方向に垂直な断面形状が山形になるように形成されている。この構成を採用することにより、簡単な第２のリブの構成で、確実に原稿を基準コーナ部に向かって押えることができる。
【００４０】
さらに、本実施の形態においては、第１のリブと第２のリブとは、長手方向を有し、長手方向に垂直な断面形状が、それぞれ山形になるように形成されている。この構成を採用することにより、所望する方向に原稿押え部を確実に移動させることができる。すなわち、長手方向同士が互いに平行になるように第１のリブと第２のリブとを接触させることにより、原稿押え部を長手方向に垂直な方向に確実に移動させることができる。第１のリブおよび第２のリブは、この形態に限られず、原稿押え部を移動させるような任意の形状を採用することができる。
【００４１】
図８に、本実施の形態における他の第１のリブと第２のリブの部分の斜視図を示す。第１のリブ１９は、円柱状に形成されている。第１のリブ１９の先端部は、半球状に形成されている。この構成を採用することによっても、第２のリブ８に第１のリブ１９を接触させて、原稿押え部３を矢印３２に示す向きに移動させることができる。
【００４２】
本実施の形態においては、平面視したときに、原稿押え部の平面形状のほぼ中央部分に第１のリブおよび第２のリブが配置され、４つの角に対応する部分に弾性手段が配置されている。この構成を採用することにより、原稿押え部がスライドするときに、４つの弾性手段に均等に力が加わり原稿押え部が安定して移動する。
【００４３】
本実施の形態においては、可動カバーを閉じるときに原稿を基準コーナ部に導くように形成されているが、この形態に限られず、第１のリブおよび第２のリブは、任意の一の方向に原稿を導くように形成されていても構わない。たとえば、段差部の平面形状の四角形の１辺に向かって原稿を押え付けるように第１のリブおよび第２のリブが形成されていても構わない。
【００４４】
本実施の形態においては、可動カバーを備える電気機器として、複合プリンタ装置を例に採り上げて説明したが、特に形態に限られず、開閉が可能な可動カバーを備える任意の電気機器に対して本発明を適用することができる。たとえば、スキャナ装置に本発明における可動カバーを適用することができる。
【００４５】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４６】
【図１】複合プリンタ装置の第１の斜視図である。
【図２】複合プリンタ装置の第２の斜視図である。
【図３】実施の形態における複合プリンタ装置の平面図である。
【図４】実施の形態における複合プリンタ装置の第１の概略断面図である。
【図５】実施の形態における複合プリンタ装置の第２の概略断面図である。
【図６】実施の形態における第１のリブと第２のリブとの部分の拡大斜視図である。
【図７】実施の形態における複合プリンタ装置の第３の概略断面図である。
【図８】実施の形態における他の第１のリブと第２のリブとの部分の拡大斜視図である。
【符号の説明】
【００４７】
１  可動カバー、２  リッド、３  原稿押え部、４  爪受け部、５  引掛け爪、６  コイルスプリング、７，８，１９  リブ、９  段差部、１０  係止部、１１  ボトムハウジング、１２  ガラス板、１３  用紙トレイ、１４  排紙口、１５  カード挿入口、１６  トップハウジング、１７  液晶表示パネル、１８  操作部、２０  原稿、２１  基準コーナ部、３１，３２  矢印。
【図１】
2006201561.tif 000003
【図２】
2006201561.tif 000004
【図３】
2006201561.tif 000005
【図４】
2006201561.tif 000006
【図５】
2006201561.tif 000007
【図６】
2006201561.tif 000008
【図７】
2006201561.tif 000009
【図８】
2006201561.tif 000010